(57)【特許請求の範囲】
【請求項１】
先端に筆穂を挿入固定し、内部を塗布液収容室となし、前記筆穂と塗布液収容室とを半連通してなる塗布具において、筆穂挿入部内壁に、軸長手方向のリブを形成し、このリブを、筆穂に突き刺すことによって、筆穂の突出部に塗布液流通溝を形成することを特徴とした塗布具。
【発明の詳細な説明】
【０００１】
【発明の属する技術分野】
本発明は、絵の具などの液状描画材、インキなどの筆記液、アイライナー、リップカラーなどの化粧液、筆跡修正液、接着剤といった塗布液の塗布具に関し、特に粘性の高い塗布液を用いるに好適な塗布具に関する。
【０００２】
【従来の技術】
従来、先端に筆穂を挿入固定し、内部を塗布液収容室となし、前記筆穂と塗布液収容室とを半連通してなる塗布具は、多数提案されている。
例えば、実開昭６１−２０４７８３号公報には、押圧変形及び復元可能な後軸の内部を塗布液収容室となし、前軸に装着した筆穂の後部と前記塗布液収容室との間に中心孔を備えた中栓を配置し、後軸の押圧操作により前記中心孔から塗布液を導出させ筆穂に供給して筆記するタイプの筆記具が記載されている。
また、実開昭６３−１６７４号公報には、内部を塗布液収容室となした軸筒後端部に軸方向に伸縮自在な蛇腹軸部を設け、ペン先を挿入固定した先軸を前記軸筒先端に連設し、前記塗布液収容室とペン先との間に弁機構を配置し、前記蛇腹軸部の圧縮操作により前記弁を開放し、この弁から塗布液を導出させ筆穂に供給して筆記するタイプの塗布具が記載されている。
【０００３】
上記のような塗布具は、筆穂と塗布液収容室とが常に連通しているのではなく、後軸の押圧操作や蛇腹軸部の圧縮操作といった操作によって、塗布液を筆穂に供給するものである。本発明において、この様な状態で筆穂などの塗布部と塗布液収容室とを連設したものを半連通と表現する。
上記のような塗布具に、粘度が数ミリＰａ・Ｓ程度の筆記具用インキのようなものを塗布液として使用した場合、供給された塗布液は、筆穂先端まで容易に浸透していく。しかし、絵の具などの液状描画材、インキなどの筆記液、アイライナー、リップカラーなどの化粧液、筆跡修正液、接着剤といった粘度が２０−１０００ミリＰａ・Ｓ程度の高粘度のものを使用した場合、供給された塗布液は流動性が低いので、筆穂先端まで浸透するのに時間が掛るという問題が発生する。
この問題を解決し、高粘度の塗布液を用いた場合でも、短時間で塗布液が筆穂先端まで到達するための方法として、筆穂内部に円筒を挿入して、塗布液収容室から供給された塗布液を自由な状態で筆先端近傍まで誘導することが考えられ、この種の構造は、実開昭６３−８２４８４号公報などに記載されている。
【０００４】
【発明が解決しようとする課題】
しかし、上記筆穂内部に円筒を挿入する方法では、円筒先端を筆穂先端に近づけると穂先に割れが発生したり、塗布（筆記）時に円筒先端が塗布（筆記）面に当接したりするという別の問題が発生するので、円筒先端を筆穂先端近傍に位置させることは困難であり、従って、短時間で塗布液が筆穂先端まで到達するための方法としては効果が不十分である。
本発明は、高粘度の塗布液を用いても短時間で塗布液が筆穂先端まで到達する塗布具を提供する。
【０００５】
【課題を解決するための手段】
本発明は、先端に筆穂を挿入固定し、内部を塗布液収容室となし、前記筆穂と塗布液収容室とを半連通してなる塗布具において、筆穂挿入部内壁に、軸長手方向のリブを形成し、このリブを、筆穂に突き刺すことによって、筆穂の突出部に塗布液流通溝を形成することを特徴とした塗布具を要旨とする。
【０００６】
【実施例】
以下、本発明を添付図面を参照して説明する。
図１乃至図３に本発明の第１実施例を示す。
参照符号１は、多数の繊維を長手方向に収束し、鍔付きの基部２を後端に、熱溶着や接着などの方法により形成した筆穂である。繊維の材質としては、鼬、馬、豚などの天然筆毛を用いたり、ナイロン、ポリエチレンテレフタレート、アクリル系繊維などの合成樹脂製筆毛を用いたり、或いは、前記天然筆毛と合成樹脂製筆毛とを混ぜたものを用いたりすることができる。
筆穂１は、前軸３に形成した貫通孔４に、その前方部が前軸３前方先端より突出し、その後端の鍔部が、貫通孔４の小径部４ａと大径部４ｂとの境界の段部４ｃに当接するように挿入されている。
上記貫通孔４の大径部４ｂには、中心孔５を形成した中栓６が配置され、この中栓６の複数の前方突起７は、前記筆穂１の後端基部２と当接している。
上記貫通孔４の大径部４ｂ内壁には雌螺子が刻設されており、この雌螺子と、内部を塗布液室８とした後軸９の先端に形成した雄螺子とを螺着して前軸３と後軸９とを固着する。但し、前軸３と後軸９との固着方法は螺着に限定されるものではなく、例えば、嵌合・接着などといった他の適宜手段によっても可能である。
また、後軸９は、押圧変形及び復元が可能な可撓性材料、例えば、塩化ビニル樹脂、ポリエチレン樹脂などの熱可塑性樹脂で形成されている。これは、塗布液室８内と筆穂１とが、前記中栓６の中心孔５によって半連通されており、塗布液室８内の塗布液は、後軸９を押圧変形することによって中心孔５から吐出し、筆穂１に供給されるようになっているためである。
後軸９内部の構成は、従来技術として記載した実開昭６１−２０４７８３号公報に記載されているような二重パイプを用いたり、実開昭６３−１６７４号公報に記載されているような弁機構を用いたりすることもできる。従って、後軸９が押圧変形することは必ずしも必要ではなく、材質として、例えば、金属を用いたり、熱硬化性樹脂を用いたり、熱可塑性樹脂を用いた場合で、可撓性を示さないほどの厚い肉厚となすこともできる。
【０００７】
上記貫通孔４の小径部４ａ内壁には、軸長手方向に複数のリブ１０が形成されている。このリブ１０は、先端を鋭角となし、筆穂１の表面に突き刺さるような高さに形成されている。リブ１０が筆穂１に突き刺さることにより、前軸３先端より突出している部分の筆穂１の外面には、塗布液流通溝１１が形成されている。
【０００８】
次に、本塗布具を使用した場合の塗布液の流れについて説明する。
後軸９を押圧変形すると、塗布液収容室８より押し出された塗布液は、中栓６の中心孔５を通り、前方突起７の間を通り、筆穂１の後方に供給される。筆穂１に供給された塗布液は、主に筆穂１と貫通孔４の内壁との間を通って筆穂１の先端側に移動していくが、前軸３先端より前方の筆穂１の突出部においては、前記塗布液流通溝１１に導かれ、筆穂先端にまで至る。
なお、筆穂１の外径と、貫通孔４の小径部４ａの内径とは、わずかでも間隙が形成されるようにすると、塗布液の流通が良好となるので好ましく、前軸先端側の筆穂１の外径と、小径部４ａの内径との間隙をより大きく形成すると、この部分が塗布液溜部を形成するのでより好ましい。
【０００９】
図４に、本発明の第２実施例を示す。
第２実施例は、上記第１実施例において、筆穂１を貫通孔４の段部４ｃと、中栓６の前方突起７とで挟着固定した代わりに、側壁に孔１２ｂを形成した内鍔付円筒よりなる筆穂固定管１２の内鍔部１２ａと中栓６の前方突起７とで挟着固定し、かつ、その挟着位置を貫通孔４の大径部４ｂの中間位置となした以外は第１実施例と同様である。
第２実施例は、第１実施例に比較して、中心孔５より吐出した塗布液は、筆穂１と大径部４ｂとの間の空間部を通って、小径部４ａに形成したリブ１０に至るため、第１実施例に比べ、より速く筆穂１先端まで塗布液が誘導される。
【００１０】
図５に、本発明の第３実施例を示す。
第３実施例は、上記第１実施例において、筆穂１を直接前軸３に挿入する代わりに、筆穂１を筆穂固定管１３に挿入し、これを前軸３に挿入したものである。この筆穂固定管１３は、内壁に複数のリブ１３ａを軸長手方向に形成しており、この複数のリブ１３ａが筆穂１に突き刺さることによって、筆穂１の突出部に塗布液流通溝１１が形成される。また、この筆穂固定管１３の後部は、側壁に孔を形成し、この孔を覆うようにスポンジなどの吸蔵体１４を被冠している。
第３実施例において、中心孔５より吐出した塗布液は、吸蔵体１４を経て、主に筆穂１と筆穂固定管１３の内壁との間を通って筆穂１の先端側に移動していくが、筆穂固定管１３先端より前方の筆穂１の突出部においては、前記塗布液流通溝１１に導かれ、筆穂先端に到達する。
第３実施例においては、筆穂固定管１３の外壁と前軸３の内壁との間隙が空気流通路となっており、空気は穂先１内を通らず、空気流通路を通るので、空気交換が容易となる。
【００１１】
図６に、本発明の第４実施例を示す。
第４実施例は、上記第３実施例と同様、筆穂１を直接前軸３に挿入する代わりに、筆穂１を筆穂固定管１５に挿入し、これを前軸３に挿入したものである。
この筆穂固定管１５は、内壁に複数のリブ１５ａを軸長手方向に形成しており、この複数のリブ１５ａが筆穂１に突き刺さることによって、筆穂１の突出部に塗布液流通溝１１が形成される。また、この筆穂固定管１５の先端は、前軸３先端よりやや内部に位置するよう前軸３内部に挿入固定されている。
第４実施例において、中心孔５より吐出した塗布液は、前軸３内壁と筆穂固定管１５外壁の間隙を通って筆穂固定管１５先端に到達する。この筆穂固定管１５前方は、前軸３内壁と筆穂１外壁との間隙により塗布液溜部を形成することになり、塗布液は、この塗布液溜部から塗布液流通溝１１に入り込み、筆穂先端に到達する。
実施例４は、塗布液が前軸３の先端までフリーの状態で移動するので、より速く筆穂１先端まで誘導される。
【００１２】
【発明の効果】
本発明に係る塗布具は、上記の構造となしたので、筆穂の突出部において、塗布液は、塗布液流通溝に導かれて移動するので、高粘度の塗布液を用いても短時間で塗布液が筆穂先端まで到達する。
【図面の簡単な説明】
【図１】本発明の第１実施例の縦断面図である。
【図２】本発明の第１実施例の要部拡大斜視図である。
【図３】本発明の第１実施例の要部縦断面図である。
【図４】本発明の第２実施例の要部縦断面図である。
【図５】本発明の第３実施例の要部縦断面図である。
【図６】本発明の第４実施例の要部縦断面図である。
【符号の説明】
１    筆穂
２    基部
３    前軸
４    貫通孔
５    中心孔
６    中栓
８    塗布液収容室
９    後軸
１０    リブ
１１    塗布液流通溝
１２    筆穂固定管
１３    筆穂固定管
１３ａ  リブ
１４    吸蔵体
１５    筆穂固定管
１５ａ  リブ
【図１】
0003570075.tif 000002
【図２】
0003570075.tif 000003
【図３】
0003570075.tif 000004
【図４】
0003570075.tif 000005
【図５】
0003570075.tif 000006
【図６】
0003570075.tif 000007